(57)【要約】  本発明は、以下の構成からなる椅子に関する：    ａ．筒状の支持部（脚部）（１２１、１２２、１２３、１２４）と；    ｂ．座部であって、前記支持部（脚部）に固定され、および前記支持部（脚部）が座席を形成する座部（１１０）と；    ｃ．背もたれを形成するとともに、支持部（脚部）の２つの脚（１２３、１２４）に接続された単一部材からなる筒状アーチ（１３０）と；    ｄ．２つの端部を有し、一端は開放され他端は座席に固定された弾力性を有する腰背支持体（１４０）と、からなる。【選択図】  図１
2019504748.tif 000002
【特許請求の範囲】
【請求項１】
椅子が、
ａ．筒状の支持部（脚部）（１２１、１２２、１２３、１２４）と；
ｂ．座部であって、前記支持部（脚部）に固定され、前記座部および前記支持部（脚部）が座席を形成する座部（１１０）と；
ｃ．背もたれを形成するとともに、支持部（脚部）の２つの脚（１２３、１２４）に接続された筒状アーチ（１３０）と；
ｄ．２つの端部を有し、一端は開放され他端は座席に連結された弾力性を有する腰背支持体（１４０）と、からなり、
支持部（脚部）（１２１、１２２、１２３、１２４）と筒状アーチ（１３０）とは、特に植物繊維である天然繊維からなる、繊維で強化された複合材料からなることを特徴とする椅子。
【請求項２】
筒状アーチ（１３０）が、単一部材からなることを特徴とする請求項１記載の椅子。
【請求項３】
腰背支持体（１４０）と座席との接続が、取り外し可能な接続であることを特徴とする請求項１記載の椅子。
【請求項４】
アーチ（１３０）の筒状断面が、２本の脚（１２３、１２４）の接続の変更が可能であることを特徴とする請求項３記載の椅子。
【請求項５】
支持部（脚部）の脚（１２１、１２２、１２３、１２４）の筒状断面が、地面に置かれるように意図されたそれらの端部と、座部へのそれらの接続との間で、変更可能であることを特徴とする請求項３記載の椅子。
【請求項６】
座部（１１０）が、プラスチック材料で構成されることを特徴とする請求項１記載の椅子。
【請求項７】
座部（１１０）が、金属材料で構成されることを特徴とする請求項１記載の椅子。
【請求項８】
座部（１１０）が、支持部（脚部）との連結リング（１１１）と、前記リングに取り付けられるシートクッションと呼ばれる部材（１１２）と、を備えることを特徴とする請求項１記載の椅子。
【請求項９】
腰背支持体（１４０）が、プラスチック材料で構成されることを特徴とする請求項１記載の椅子。
【請求項１０】
腰背支持体（１４０）が、繊維で強化された複合材料からなることを特徴とする請求項１記載の椅子。
【請求項１１】
請求項３に記載の椅子といくつかの腰背支持体とからなる、組み立て前のアセンブリ（部品）またはキット。
【請求項１２】
請求項８に記載の椅子といくつかのシートクッション（１１２）とからなる、組み立て前のアセンブリ（部品）またはキット。
【発明の詳細な説明】
【技術分野】
【０００１】
本発明は、柔軟な腰部支持体（ランバーサポート）を有する椅子に関する。より詳細には、本発明は、背もたれを有し、固定構造で、非折り畳み式で、軽量からなるが、ユーザに適応する効果的な腰部支持体（ランバーサポート）を提供する椅子に関する。
【背景技術】
【０００２】
従来技術によれば、固定構造の椅子は、例えば木製であり、背もたれを有する。ある実施例によれば、背もたれは、一般に後脚が延伸した２つの直立部材からなり、直立部材は横木（traverses）によって連結されている。したがって、横木は、３つの主な機能を提供する：
−  背もたれと椅子全体の剛性を保持する機械的機能；
−  ユーザが椅子に座る際のユーザの背中のサポート機能；
−  特に移動させるために、椅子の背もたれの把持を可能とするグリップ機能。
【先行技術文献】
【特許文献】
【０００３】
【特許文献１】欧州特許第２，８６１，３９９号
【特許文献２】欧州特許第２、６９４、２７７号
【特許文献３】フランス公開２、９１５、０５３号
【発明の開示】
【発明が解決しようとする課題】
【０００４】
これらの剛性のある（固定された）横木は、ユーザの形態（morphology）に適応するものだが、効果的な腰背（dorsolumbar）支持を獲得可能にするものではない。しかしながら、効果的な腰背支持は、椅子が快適か否かを決定する本質的な要素である。この目的のために、従来技術によれば、背もたれには、直立部の間に設置される腰部支持（ランバーサポート）クッションが裏打ちされている。背もたれの他の構成として、特にオフィスチェアの分野では、適応性のある効果的な腰部支持体（ランバーサポート）も提供されている。従来技術におけるこれら全ての解決策は、椅子の重量が増加することやその美観を損なうという不都合な点を有する。
【課題を解決するための手段】
【０００５】
本発明は、従来技術の欠点を克服することを目的としており、この目的を達成するため、以下の構成からなる椅子に関する：
ａ．筒状の支持部（脚部）と；
ｂ．座部(seat base)であって、前記支持部（脚部）に固定され、前記座部および前記支持部（脚部）が座席（seat）を形成する座部と；
ｃ．背もたれを形成するとともに、支持部（脚部）の２つの脚に接続された筒状アーチと；
ｄ．２つの端部を有し、一端は開放され、他端は座席に連結された弾力性を有する腰背支持体（dorsolumbar support）と、からなり、
支持部（脚部）と筒状アーチとは、特に植物繊維である天然繊維からなる、繊維で強化された複合材料からなる。
【０００６】
背もたれとなる筒状アーチは、剛性およびグリッピング機能を提供する、一方、このアーチと接続しない腰背支持体は、十分な弾力性と、効果的な支持を提供しながらユーザの形態に適応可能な「スプリング効果」を提供する。複合材料を構成する組成物は、特に、従来技術の木製の椅子に使用されるような横木の使用の必要性を回避するのに十分な剛性および強度を椅子に与えるもので、これにより、十分な弾性運動を、支持を得るための腰背支持体に提供することが可能となる。天然由来の強化繊維の１つを使用することは、特に炭素収支（carbon balance）と天然資源の採取の観点から、持続可能な開発の原則を尊重しながら椅子を製造することを意味しており、少なくとも木製の椅子と同じくらい有利であり、椅子の軽量性を、木材または金属構造に匹敵し、またはそれよりも軽いものにする。
【０００７】
本発明は、有利には、個々にまたは任意の技術的に実現可能な組み合わせにおいて考慮され、以下で示される実施例に用いられる。
【０００８】
有利には、腰背支持体と座席との接続は、取り外し可能な接続である。すなわち、この椅子は、硬度および審美性の観点から、異なる腰部支持体（ランバーサポート）の使用に適応可能である。
【０００９】
有利には、アーチの筒状部分（断面）は、２本の脚の接続間の変更が可能である。すなわち、アーチは、使用される複合材料に応じて、強度、重量および剛性に関して最適化される。同様に、支持部（脚部）の脚の筒状部分（断面）は、地面に置かれるように意図されたそれらの端部と、座部へのそれらの接続との間で、変更が可能である。
【００１０】
有利には、座部、プラスチック材料で構成される。この実施例は、椅子の重量を減らすことや、屋外での使用にも適合させること、および経済的な組立ておよび製造方法を実現することを可能にする。
【００１１】
他の実施例によれば、座部は、金属材料で構成される。この実施例では、椅子に「ビストロ」と呼ばれるスタイルを与えることを可能にする。
【００１２】
有利には、座部は、支持部（脚部）との連結リングと、前記リングに取り付けられるシートクッションと呼ばれる部材（part）と、を備える。この実施例は、シートクッションをカスタマイズすることを可能にし、特に、シートクッションとリングとを、異なる材料、色または仕上げにすることを可能にする。
【００１３】
別の実施例によれば、腰背支持体はまた、繊維によって補強され、または繊維によって補強されない、プラスチック材料で構成される。すなわち、構成材料の性質に依存して、前記腰背支持体は、多かれ少なかれ柔軟性があり、使用者が求めるサポート（支持）に適応することができ、本発明に係る椅子の様々な審美性に対応する。
【００１４】
本発明はまた、腰背支持体と座席との接続が取り外し可能な椅子と、いくつかの腰背支持体とからなる、組み立て前のアセンブリ（部品）またはキットに関する。すなわち、前記椅子は、その堅固性と審美性を変更することに適応し得る。
【００１５】
本発明はまた、椅子およびいくつかのシートクッションを備える、組み立て前のアセンブリ（部品）またはキットに関する。この実施例は、単独でまたは前述の実施例との組み合わせにより、ユーザが椅子をカスタマイズすることを可能にする。
【図面の簡単な説明】
【００１６】
本発明は、図１および図２を参照し、限定されることなく、種々の好ましい実施例に従って、以下に説明する：
【００１７】
【図１】図１は、本発明に係る椅子の実施例の正面図を表す；
【００１８】
【図２】図２は、図１に係る椅子の部分分解左側面図を示す；
【００１９】
【図３】そして、図３は、２つの部品からなるアーチを有する本発明に係る椅子の実施例の部分正面図であり、詳細図は、アーチの２つの部品の組み立て方の例を示す。
【発明を実施するための形態】
【００２０】
図１を参照すると、ある実施例によれば、本発明に係る椅子は、好ましくは、プラスチック材料の単一部品からなる座部（１１０）を備える。例えば、前記座部を構成するプラスチック材料は、ポリエチレン、ポリアミド、セルロース・アセテートまたはポリメタクリル酸メチルのようなバイオベースのポリマーであり、そのようなバイオベース製品は、例えばArkema（登録商標）グループ（420 rue d'Estienne d'Orves、92705 Colombes フランス）、類似の製品を提供する他のサプライヤーによって供給される。特定の一実施例によれば、前記座部を構成する材料は、第１のポリマーの溶融温度よりも高い溶融温度の第２のバイオベースポリマーの繊維で強化された第１のバイオソースポリマー（生物資源ポリマー）のマトリックスからなる。前記座部は、有利には、単一の成形品で作られており、それゆえ、椅子の剛性に寄与している。ある特定の実施例によれば、座部（１１０）は、実質的に椀状（bowl）であり、剛性のあるリングフレーム（ring frame）（１１１）と、より柔軟なシートクッションとして働く僅かに湾曲した部材（１１２）とを備えている。別の実施例によれば、本発明の椅子の座部は、例えばマグネシウム合金のような、射出成形可能な軽量の金属材料で構成されている。
【００２１】
ある特定の実施例によれば、リング（１１１）およびシートクッション（１１２）は、クリッピング、ボルト締め、または接着によって組み立てられた２つの別個の（異なる）部品である。この実施例は、異なるモデルに共通する部品の最大数を保つことによって生産を合理化しつつ、椅子をカスタマイズすることを可能にする。非限定的な例として、リングはプラスチック材料で構成され、シートクッションは金属材料で構成されるものもあり、また、リングは金属材料で構成され、シートクッションはプラスチックまたは天然繊維で作られた籐（cannage）もある。
【００２２】
一つの実施例によれば、本発明に係る椅子は、４本の脚（１２１、１２２、１２３、１２４）を装備する支持部（脚部）を有する。あるいは、支持部（脚部）は３本の脚を有する。前記脚は、好ましくは繊維強化による複合材料で構成される筒状部材（tubes）である。したがって、脚は、堅固かつ軽量である。好ましくは、前記脚（１２１、１２２、１２３、１２４）を構成する複合材料は、バイオソースポリマー（生物資源ポリマー）マトリックス、例えば、ポリアミド（特にＰＡ１１）、または全部または一部を植物起源の連続繊維（continuous fibres）によって補強したポリエチレンを含む。非限定的な例として、前記植物繊維は、亜麻繊維、黄麻（ジュート）繊維、大麻繊維、サイザル麻繊維または竹繊維である。脚は、座部に組み付けられ、それにより本発明に係る椅子の座席を構成する。有利には、脚を構成する材料、および座部を構成する材料は、例えば、熱可塑性ポリマーマトリックスを選択することによる溶接、または熱融着による溶接によって、容易に組み立てられるようなものが選択される。この実施例は、特にスマートな（slender）スタイルを可能にし、座部が透明な材料で作られているときに優先的に使用される。
【００２３】
他の方法として、または追加の方法として、脚は、例えば座部が成形される際に形成されるさや状部材（sheath）に脚を挿入する機械組立（mechanical assembly）によって、座部に取り付けることができる。この場合、座部は、椀状の滑らかな外形からなり、かつ該椀状の内部は機能的な面体（face）であって、組み立てやリブ（nervures）に適合するように構成されている。この実施例によれば、座部は、欧州特許第２，８６１，３９９号に記載されている金型（モールド）の動的誘導加熱による射出成形プロセスを使用して作られる。
【００２４】
本発明に係る椅子は、前記椅子の背部（back）を形成し、前記支持部（脚部）の２本の脚（１２３、１２４）に接続される、筒状アーチ（１３０）から構成されている。それぞれの実施例によるが、アーチの脚（１２３、１２４）への接続は、アーチと脚を単一部材に組み立てて一体化することによって形成され、本件では、座席は、この部材との接続するための適切な手段を有する。別の変形実施例によれば、アーチ(１３０)の脚（１２３、１２４）との接続は、座部に成形されるさや状部材として形成され、座部、支持部（脚部）、およびアーチは、組み立て後に、横木を必要とすることなく、剛性のある組み立てを形成する。
【００２５】
ある実施例によれば、前記挿入による組み立ては、使用する材料の性質に従って、接着または溶接によって完成される。したがって、本発明に係る椅子の構造は、ツールなしで容易に組み立てられ、特に、通信販売において、保管および配送も容易になる。筒状アーチ（１３０）は、支持部（脚部）の成形に使用されるものと同様の複合材料で構成される。有利には、これらの構成要素の適切な機械的特性を達成するため、または美的理由のため、脚およびアーチに使用される繊維含量、および強化繊維または強化繊維の混合物の性質は、異なるものとされる。植物起源の強化繊維の使用では、それらを塗装する必要がなく、支持部（脚部）およびアーチに特別に美的外観が与えられる。
【００２６】
この例示的な実施例によれば、腰背支持体（１４０）は、筒状アーチ（１３０）によって区画（限定）された空間の内側に十分に（実質的に）延伸し、前記アーチは、特に、椅子を構成する材料を軽量構造とし得るため、椅子を把持（グリップ）して容易に動かす手段を構成する。
【００２７】
別の実施例によれば、座部（１１０）はまた、植物繊維を含む繊維により強化された複合材料で構成される。この特定の実施例によれば、座部は、欧州特許第２、６９４、２７７号に記載されている、金型（モールド）の動的誘導加熱を使用して製造された、積層された繊維状パイルを圧縮および圧密（強化）する方法によって製造される。この実施方法は、また、印刷された装飾を、座部、特にクッションとして作用する部材（１１２）を構成する複合材の積層体の中に一体化することを可能にし、装飾はその後劣化することはない。
【００２８】
金型（モールド）の誘導加熱を含む成形方法を用いることにより、それが技術的な表面（technical face）を有するか否か、それがプラスチック材料、複合材料または軽金属合金のいずれであるかにかかわらず、金型（モールド）の表面全体に亘って均一な加熱（温度）を得ることができ、座部の視認面の外観および変色による不具合のない非常に美しい外観を得ることができる。座部が技術的な表面を有する場合、この技術的な表面は、有利には、特に注入によって、プリフォーム上にインサート成形される。
【００２９】
金型（モールド）内の温度を均一にし、次に成形材料の粘度を制御することによっても、本発明に係る椅子を構成する様々な要素の上に、真っ直ぐなまたは屈曲したレリーフ（浮き彫り）の飾りを成形することが可能になる。
【００３０】
有利には、脚およびアーチを構成する筒状部材は、また、強化繊維を混成したポリマー繊維を含む編組プリフォームを使用して、例えば、フランス公開２、９１５、０５３号で説明されている動的誘導加熱法を用いて形成される。これらの方法は、生産ラインにおいて椅子の構造を迅速に組み立てることを可能にする。脚およびアーチを構成する筒状部材（tubes）の断面は、横断面が卵形または多角形からなり、有利には、これらの構成要素の各々の両端の間において可変である。この横断面の変形（バリエーション）を得るため、プリフォームを構成する組紐は、断面の変化を再現する固形の芯上、または膨張可能な袋状部材の型枠内に、形成される。
【００３１】
本発明に係る構造の椅子を製造するために金型（モールド）で成形されたプラスチック材料および複合材料の使用は、寸法的に正確な部品を製造することを可能にし、遊びなしに容易に組み立てられ、湿気に対して安定しており、また寸法が安定的である。すなわち、本発明に係る椅子は、軽量ではあるが、耐久性がある。
【００３２】
背もたれと座席の剛性構造は、例示的な実施例によれば、アーチによって区画（限定）された空間に含まれている腰背支持体（１４０）を結合一体化することを可能にする。前記腰部支持体（ランバーサポート）（１４０）は、天然繊維を含む繊維により強化または強化されていないポリマー材料からなる。例示的な実施例によれば、前記支持体は、欧州特許第２、６９４、２７７号明細書に記載されている圧縮および圧密（強化）方法によって製造され、前記積層体の中に一体化された装飾を有する。前記支持体（１４０）は、例えば、座部の縦穴または、さや状部材内にその一端の１つを入れ子にするか、または前記座部のフレーム（１１１）にクリッピングおよび／またはボルト止めすることによって、座席に連結接続される。
【００３３】
例示的な実施例によれば、図２に示すように、腰背支持体（１４０）とアーチ（１３０）は、椅子の後部に向かって湾曲している。この実施例によれば、アーチは、その金型（モールド）からの脱型（離脱）を確実にするために、スライドモールド（金型）内で成形される。
【００３４】
別の実施例によれば、図３に示すように、筒状アーチ（３３０）は、２つの部材（３３１、３３２）で構成され、該２つの部材は、アセンブリ部材（３３５）によって接続されるものであり、有利には、短繊維によって強化されたかどうかにかかわらず、それ自体はバイオベースである、バイオソースポリマー（生物資源ポリマー）の射出成形によって得られる。この実施例は、筒状アーチの形成のためのスライドモールド（金型）の使用を回避可能とし、これにより、本発明に係る椅子の製造に必要な投資を低減することを可能とする。
【００３５】
再度図を参照すると、腰背支持体の開放端部およびそれを構成する材料の性質により、支持体が、本発明に係る椅子のユーザの形態に適合可能な柔軟性を有することとなる。前記腰背支持体（１４０）は、有利には、クリッピングや挿入による手段なしで、座席に取り付けられ、本発明に係る椅子は、有利には、種々の材料からなる腰背支持体の様々な形状、様々な合成または様々な装飾からなるキットとして販売される。有利には、前記キットは、オンライン販売モデルに従って販売されるもので、ここでは、顧客は、容易に宅配便業者によって分解され顧客（クライアント）によって組み立てられるカスタムチェアを構成する、座部および、支持部（脚部）とアーチを含む腰背支持体を選択することとなる。
【００３６】
上記の説明および実施例は、本発明が、本発明の主題、すなわち、生産ラインで製造できる容易にカスタマイズ可能な腰背支持体を装備した快適で軽量な椅子を達成実現することを示すものである。
【図１】
2019504748.tif 000003
【図２】
2019504748.tif 000004
【図３】
2019504748.tif 000005
【国際調査報告】
2019504748.tif 000006
2019504748.tif 000007
2019504748.tif 000008
2019504748.tif 000009
2019504748.tif 000010
2019504748.tif 000011